(57)【要約】【課題】回路規模の増大及びメモリ帯域の増加を招くことがなく、ピーキング性能を確保したまま高品質なモニタ出力映像の生成が可能となるようにする。【解決手段】撮像素子１０１により得られた映像信号のＲＡＷデータを記録する第１のフレームメモリ１０４と、ＲＡＷデータから信号処理により現像された現像データを記録する第２のフレームメモリ１０５と、第１のフレームメモリ１０４に記録されたＲＡＷデータからピーキング信号を生成するピーキング信号生成部１１８とを備え、メインコントローラ１１１及び切り替えスイッチ１１３により、モニタ出力映像を生成するための映像信号として、フォーカスアシスト機能の拡大率に応じて第１のフレームメモリ１０４に記録されたＲＡＷデータを用いるか、第２のフレームメモリ１０５に記録された現像データを用いるかを切り替える。【選択図】図１
2015111775.tif 000002
【特許請求の範囲】
【請求項１】
光学系を介して結像された被写体光学像を映像信号に変換する撮像素子と、
前記撮像素子により得られた映像信号のＲＡＷデータを記録する第１の記録手段と、
前記ＲＡＷデータから信号処理により現像された現像データを記録する第２の記録手段と、
前記第１の記録手段に記録されたＲＡＷデータからピーキング信号を生成するピーキング信号生成部と、
モニタ出力映像を生成するための映像信号として、フォーカスアシスト機能の拡大率に応じて前記第１の記録手段に記録されたＲＡＷデータを用いるか、前記第２の記録手段に記録された現像データを用いるかを切り替える制御手段とを備えたことを特徴とする撮像装置。
【請求項２】
前記制御手段は、フォーカスアシスト機能の拡大率が所定の倍率以上である場合、前記第２の記録手段に記録された現像データを用い、前記所定の倍率未満の場合、前記第１の記録手段に記録されたＲＡＷデータを用いることを特徴とする請求項１に記載の撮像装置。
【請求項３】
フォーカスアシスト機能がＯＮのときのみ前記制御手段による切り替えを実施し、
フォーカスアシスト機能がＯＦＦのときには、モニタ出力映像を生成するための映像信号として前記第２の記録手段に記録された現像データを用いることを特徴とする請求項１又は２に記載の撮像装置。
【請求項４】
光学系を介して結像された被写体光学像を映像信号に変換する撮像素子と、
前記撮像素子により得られた映像信号のＲＡＷデータを記録する第１の記録手段と、
前記ＲＡＷデータから信号処理により現像された現像データを記録する第２の記録手段とを備えた撮像装置の制御方法であって、
前記第１の記録手段に記録されたＲＡＷデータからピーキング信号を生成するステップと、
モニタ出力映像を生成するための映像信号として、フォーカスアシスト機能の拡大率に応じて前記第１の記録手段に記録されたＲＡＷデータを用いるか、前記第２の記録手段に記録された現像データを用いるかを切り替えるステップとを有することを特徴とする撮像装置の制御方法。
【請求項５】
光学系を介して結像された被写体光学像を映像信号に変換する撮像素子と、
前記撮像素子により得られた映像信号のＲＡＷデータを記録する第１の記録手段と、
前記ＲＡＷデータから信号処理により現像された現像データを記録する第２の記録手段とを備えた撮像装置を制御するためのプログラムであって、
前記第１の記録手段に記録されたＲＡＷデータからピーキング信号を生成する処理と、
モニタ出力映像を生成するための映像信号として、フォーカスアシスト機能の拡大率に応じて前記第１の記録手段に記録されたＲＡＷデータを用いるか、前記第２の記録手段に記録された現像データを用いるかを切り替える処理とをコンピュータに実行させるためのプログラム。
【発明の詳細な説明】
【技術分野】
【０００１】
本発明は、映像信号にピーキング信号を重畳するフォーカスアシスト機能を有する撮像装置、その制御方法及びプログラムに関する。
【背景技術】
【０００２】
従来、デジタルビデオカメラ等の撮像装置では、フォーカス調整を容易にするため、フォーカス調整時に高周波成分を検出して映像信号にピーキング信号を重畳するフォーカスアシスト機能が備えられている。ピーキング信号とは、映像信号を構成する輝度信号から高周波成分を抽出し、増幅することで生成される信号である。このピーキング信号を映像信号に加算し、ビューファインダや出力モニタに表示することで、映像中の輪郭部分が強調されて表示される。これにより、ユーザにフォーカスの合照を視覚的に知らせることができ、フォーカス調整を容易に行うことが可能となる。このフォーカスアシスト機能は、ピーキング、輪郭補正、エッジ強調、エンハンサ等と称される。
【０００３】
例えば、特許文献１には、「フォーカス調整用信号生成装置」として、輝度信号からＲＧＢ信号に変換し、ＲＧＢそれぞれに垂直方向又は水平方向にＬＰＦ、ＨＰＦをかけた結果の絶対値のいずれかを加算してフォーカス調整用のＲＧＢ信号を生成することが開示されている。
また、特許文献２には、「ビューファインダ、撮像装置および表示信号生成回路」として、映像信号の三原色ごとに高域成分を検出してピーキング信号を抽出し、その信号に重み付けによる加算を行い、映像信号の三原色に加算することが開示されている。
【先行技術文献】
【特許文献】
【０００４】
【特許文献１】特許第４４７４６４１号公報
【特許文献２】特許第４２４５０１９号公報
【発明の概要】
【発明が解決しようとする課題】
【０００５】
撮像装置においては、撮像素子からの未加工の出力データ（以下、ＲＡＷデータと呼ぶ）と、ＲＡＷデータから信号処理により現像された現像データとの両方を記録可能としたものがある。
この種の撮像装置において、情報量の多いＲＡＷデータから高周波成分を検出してピーキング信号を生成することにより、ピーキング性能を向上する構成が考えられる。
【０００６】
しかしながら、記録用のフレームレートと表示用のフレームレートとが異なる場合、モニタ出力回路にＲＡＷデータを渡し、再度現像処理を行う必要があるため、回路規模、消費電力の増大を招く。
また、モニタ出力回路にＲＡＷデータと現像データとの両方を渡すことにより、モニタ出力回路側で現像処理を行う必要はなくなるが、データ量が多くなるため、メモリ帯域の増加を招く。
【０００７】
本発明は上記のような点に鑑みてなされたものであり、回路規模の増大及びメモリ帯域の増加を招くことがなく、ピーキング性能を確保したまま高品質なモニタ出力映像の生成が可能となるようにすることを目的とする。
【課題を解決するための手段】
【０００８】
本発明の撮像装置は、光学系を介して結像された被写体光学像を映像信号に変換する撮像素子と、前記撮像素子により得られた映像信号のＲＡＷデータを記録する第１の記録手段と、前記ＲＡＷデータから信号処理により現像された現像データを記録する第２の記録手段と、前記第１の記録手段に記録されたＲＡＷデータからピーキング信号を生成するピーキング信号生成部と、モニタ出力映像を生成するための映像信号として、フォーカスアシスト機能の拡大率に応じて前記第１の記録手段に記録されたＲＡＷデータを用いるか、前記第２の記録手段に記録された現像データを用いるかを切り替える制御手段とを備えたことを特徴とする。
【発明の効果】
【０００９】
本発明によれば、回路規模の増大及びメモリ帯域の増加を招くことがなく、ピーキング性能を確保したまま高品質なモニタ出力映像の生成が可能となる。
【図面の簡単な説明】
【００１０】
【図１】第１の実施形態に係る撮像装置の構成を示すブロック図である。
【図２】Ｄｅｂａｙｅｒ回路での処理の概要を説明するための図である。
【図３】フォーカスアシスト機能の概要を説明するための図である。
【図４】一般的なピーキング信号生成部の構成を示す図である。
【図５】フレームメモリからのデータ読み出し及びその処理を説明するための図である。
【図６】簡易Ｄｅｂａｙｅｒ回路での処理の概要を説明するための図である。
【図７】拡大率によるデータの読み出し及び帯域を示す図である。
【図８】第１の実施形態に係る撮像装置による処理を示すフローチャートである。
【図９】第１の実施形態に係る撮像装置の構成を示すブロック図である。
【図１０】フレームメモリからのデータ読み出し及びその処理を説明するための図である。
【図１１】第２の実施形態に係る撮像装置による処理を示すフローチャートである。
【図１２】ＲＡＷデータから高周波成分を検出してピーキング信号を生成する方式の例を説明するための図である。
【図１３】ＲＡＷデータから高周波成分を検出してピーキング信号を生成する方式の例を説明するための図である。
【図１４】ＲＡＷデータから高周波成分を検出してピーキング信号を生成する方式の例を説明するための図である。
【発明を実施するための形態】
【００１１】
以下、添付図面を参照して、本発明の好適な実施形態について説明する。
＜第１の実施形態＞
図１は、第１の実施形態に係る撮像装置の構成を示すブロック図である。
１０１は撮像素子であり、光学系を介して結像された被写体光学像を映像信号に変換する。１０２はＤｅｂａｙｅｒ回路である。１０３は信号処理回路である。１０４は第１のフレームメモリであり、撮像素子１０１により得られた映像信号のＲＡＷデータを記録する第１の記録手段として機能する。１０５は第２のフレームメモリであり、ＲＡＷデータから信号処理により現像された現像データを記録する第２の記録手段として機能する。１０６は映像信号記録部１である。１０７は映像信号記録部２である。１１０は表示ブロックである。１１１はメモリコントローラである。
表示ブロック１１０において、１１２は簡易Ｄｅｂａｙｅｒ回路である。１１３は切り替えスイッチである。１１４はピーキング信号重畳回路である。１１５はスケーリング回路である。１１６はモニタ信号処理回路である。１１７は表示デバイスである。１１８はピーキング信号生成部である。
表示ブロック１１０への入力信号を制御するメモリコントローラ１１１及び切り替えスイッチ１１３への制御信号として、拡大率制御信号１１９が入力される。
【００１２】
撮像素子１０１には不図示のレンズ系によって被写体から光が入射される。撮像素子１０１でＡＤ変換される信号出力はＲ，Ｇｒ、Ｇｂ，ＢのＢａｙｅｒ配列であり、ＲＡＷデータを記録するためにそのまま第１のフレームメモリ１０４に蓄積される。
本実施形態に係る撮像装置は、ＲＡＷデータと、ＲＡＷデータから信号処理により現像された現像データとを同時に記録可能である。すなわち、ＲＡＷデータはＤｅｂａｙｅｒ回路１０２でＲ，Ｇ，Ｂの信号プレーンに変換され、信号処理回路１０３で信号処理が施された後に、第２のフレームメモリ１０４に蓄積される。
Ｄｅｂａｙｅｒ回路１０２の処理方式は様々な公知例があるが、図２に示すように、１Ｂａｙｅｒ２０１からＲ，Ｇ，Ｂ画素を生成する場合は、画素の重心ずれを補正するため同色プレーンの複数の画素を用いて、演算により位置２０３の画素を生成する方法が一般的である。図２（ｂ）は、重心ずれ補正を考慮したＤｅｂａｙｅｒ処理の概念を示す。同一点位置２０３上にＲＧＢ画素を生成することが望ましいため、複数の画素から画素距離を考慮して演算により求める。図２（ｃ）は、４つのＲ画素２０５、２０６、２０７、２０８から１つのＲ画素２０９を生成する概念を示す。画素距離が１：３であるため、各画素の重み付け演算によりＲ画素２０９を求めることが可能である。Ｂ画素についても図２（ｃ）と同様に演算し、Ｇ画素は（Ｇｒ＋Ｇｂ）／２で求めることが可能である。
【００１３】
第１のフレームメモリ１０４に蓄積されたＲＡＷデータは、映像信号記録部１（１０６）に記録される。また、第２のフレームメモリ１０５に蓄積された現像データは、映像信号記録部２（１０７）に記録される。
【００１４】
次に、表示ブロック１１０でのフォーカスアシスト機能について説明する。
図３は、フォーカスアシスト機能の概要を説明するための図である。図３（ａ）はフォーカスアシスト機能がＯＦＦで、拡大率が等倍の場合の表示デバイス１１７の出力映像を示す。拡大率が等倍の場合、映像信号記録と表示デバイス１１７には同等の画角の信号が流れている。ここで、ユーザが被写体の一部にフォーカスを合わせたい場合、フォーカスアシスト機能をＯＮすることにより、図３（ｂ）に示すように、ピーキング信号によるエッジ情報３０２が付加された映像が表示デバイス１１７に表示される。これにより、ユーザに視覚的にフォーカスの合照具合を伝えることが可能となる。また、図３（ｃ）に示すように、拡大率を設定して所定の範囲３０１（図３（ａ）を参照）を拡大して表示することにより、ユーザに高精度に合照具合を伝えることが可能となる。
【００１５】
図４は、ピーキング信号生成部の基本的な構成を示す図である。ピーキング信号生成部はＦＩＲフィルタ４０１で構成され、入力信号には輝度信号、ＲＧＢ現像信号、又はＢａｙｅｒＲａｗの入力信号が入力される。また、ゲイン調整信号及び周波数調整信号により、ピーキング信号の強度及び周波数が調整可能な構成とする。
【００１６】
ここで、ピーキング信号生成部１１８に入力する信号を、現像データではなく多画素のＲＡＷデータとすることにより高精度なエッジ情報であるピーキング信号を生成することができる。ＲＡＷデータから高周波成分を検出してピーキング信号を生成する方式の例ついては後述する。
【００１７】
以下、モニタ出力映像にピーキング信号を重畳する方式について説明する。表示ブロック１１０へのモニタ出力映像は、第２のフレームメモリ１０５に既に現像された現像データが存在するので、この現像データを用いることが理想的である。
しかしながら、この場合、ＲＡＷデータと現像データとの両方を表示ブロック１１０に伝送する必要が生じ、メモリ帯域の増加を招く問題が発生する。
【００１８】
そこで、フォーカスアシストの拡大率に応じて表示ブロック１１０でのモニタ出力映像の生成方式を変えるようにしている。
図５は、フレームメモリからのデータ読み出し及びその処理を説明するための図であり、メモリコントローラ１１１、簡易Ｄｅｂａｙｅｒ回路１１２、切り替えスイッチ１１３、ピーキング重畳回路１１４、ピーキング信号生成部１１８を抜き出して図示したものである。
【００１９】
フォーカスアシスト機能の拡大率が等倍の場合、図５（ａ）に示すように、メモリコントローラ１１１及び切り替えスイッチ１１３により、第１のフレームメモリ１０４からＲＡＷデータ５０１を読み出し、ピーキング信号生成部１１８に入力し、簡易Ｄｅｂａｙｅｒ回路１１２にも入力する。
【００２０】
図６に、簡易Ｄｅｂａｙｅｒ回路１１２での処理の概要を示す。簡易Ｄｅｂａｙｅｒ回路１１２は、図２で示したＤｅｂａｙｅｒ回路１０２での処理とは異なり、画素の重心ずれ補正を行わない。画素の重心ずれ補正は、垂直方向に複数の画素を用いるためラインメモリが必要となることや、複数の画素から演算により１つの画素を求めるため回路規模の増加を招く。具体的には図６（ａ）、（ｂ）に示すように、１つのＢａｙｅｒ６０１からそれぞれＲ，Ｂ，Ｇ画素を生成する。Ｒ，Ｂ画素はそのまま画素を用いて、Ｇ画素はＧｒとＧｂ画素の平均値を使用することにより、６０２、６０３、６０４で示すようにＲ，Ｇ，Ｂのプレーンが現像可能である。ただし、この場合は画素の重心ずれを考慮していないため、図６（ｃ）に示すように、Ｒ，Ｇ，Ｂの画素の重心は異なっている。そのため、画像によっては偽色が発生し、この偽色問題は表示画像を拡大することにより顕著に見える傾向にある。ただし、拡大率が等倍の場合には、重心ずれによる偽色問題等は目立たないため、簡易Ｄｅｂａｙｅｒにより簡略化を図ることが可能となる。
【００２１】
次に、フォーカスアシスト機能の拡大率が２倍以上の場合について述べる。拡大率が大きくなると、上述したように簡易Ｄｅｂａｙｅｒ回路１１２での処理では重心ずれの偽色問題が顕著になる。
そこで、図５（ｂ）に示すように、メモリコントローラ１１１及び切り替えスイッチ１１３により、第１のフレームメモリ１０４からＲＡＷデータ５０１を読み出し、ピーキング信号生成部１１８に入力する。また、メモリコントローラ１１１及び切り替えスイッチ１１３により、第２のフレームメモリ１０５から現像データ５０２を読み出し、簡易Ｄｅｂａｙｅｒ回路１１２を介さずに、ピーキング信号生成部１１８で生成したピーキング信号を重畳する。
拡大率が２倍以上の場合には、フレームメモリから必要な範囲３０１（図３（ａ）を参照）のみの読み出しとなるため、図７に示すように、フレームメモリからの読み出し帯域は、拡大率が等倍時のＢａｙｅｒＲａｗを１とすると、拡大率が２倍ではＢａｙｅｒＲａｗが１／４、現像したＲＧＢの各色毎に１／１６となるため、合計で７／１６となり、メモリ帯域は拡大率が等倍時のＲＡＷデータ読み出し以下になる。したがって、上述したような読み出し方をしても、メモリ帯域の増加には繋がらない。
第２のフレームメモリ１０５から読み出した現像データ５０２は、Ｄｅｂａｙｅｒ回路１０２で重心ずれ補正が考慮されているので、偽色問題も発生しない。
【００２２】
図８は、第１の実施形態に係る撮像装置による処理を示すフローチャートである。
モニタ出力の拡大率を判定し（ステップＳ８０１）、拡大率が所定の倍率である２倍以上であれば、第１のフレームメモリ１０４からＲＡＷデータを、第２のフレームメモリ１０５から現像データを所望の範囲読み出す（ステップＳ８０４）。次に、ＲＡＷデータからピーキング信号生成部１１８でピーキング信号を生成し（ステップＳ８０５）、ステップＳ８０６に進む。ステップＳ８０６でフォーカスアシスト機能がＯＮであるか否かを判定し、ＯＮであれば、第２のフレームメモリ１０５から読み出した現像データにピーキング信号を重畳する（ステップＳ８０７）。
【００２３】
一方、拡大率が所定の倍率である２倍未満であれば、第１のフレームメモリ１０４からＲＡＷデータを読み出す（ステップＳ８０２）。次に、ＲＡＷデータを簡易Ｄｅｂａｙｅｒ回路１１２で現像し、ＲＡＷデータからピーキング信号生成部１１８でピーキング信号を生成し（ステップＳ８０３）、ステップＳ８０６に進む。ステップＳ８０６でフォーカスアシスト機能がＯＮであるか否かを判定し、ＯＮであれば、簡易Ｄｅｂａｙｅｒ回路１１２で現像した現像データにピーキング信号を重畳する（ステップＳ８０７）。
【００２４】
ステップＳ８０７の後、必要があればスケーリング回路で拡大縮小処理を行い（ステップＳ８０８）、モニタ出力を行う（ステップＳ８０９）。
【００２５】
以上に述べたように、回路規模の増大及びメモリ帯域の増加を招くことがなく、ピーキング性能を確保したまま高品質なモニタ出力映像の生成が可能となる。
【００２６】
＜第２の実施形態＞
図９は、第２の実施形態に係る撮像装置の構成を示すブロック図である。第１の実施形態との違いは、表示ブロック１１０への入力信号を制御するメモリコントローラ１１１及び切り替えスイッチ１１３への制御信号として、拡大率制御信号１１９に加えて、フォーカスアシスト機能ＯＮ／ＯＦＦ制御信号９０１が入力される。
【００２７】
図１０は、フレームメモリからのデータ読み出し及びその処理を説明するための図であり、メモリコントローラ１１１、簡易Ｄｅｂａｙｅｒ回路１１２、切り替えスイッチ１１３、ピーキング重畳回路１１４、ピーキング信号生成部１１８を抜き出して図示したものである。
【００２８】
フォーカスアシスト機能がＯＦＦの場合、ピーキング信号を生成する必要ないので、図１０に示すように、メモリコントローラ１１１及び切り替えスイッチ１１３により、拡大率によらず、常に第２のフレームメモリ１０５から高品質の現像データ５０２を読み出す。これにより、フォーカスアシスト機能がＯＦＦで使用する際には、常に重心ずれ補正がされた映像を表示デバイス１１７に出力することが可能となる。フォーカスアシスト機能がＯＮの場合、第１の実施形態と同様の制御を行う。
【００２９】
図１１は、第２の実施形態に係る撮像装置による処理を示すフローチャートである。
フォーカスアシスト機能がＯＮであるか否かを判定し（ステップＳ１１０１）、フォーカスアシスト機能がＯＮであれば、ステップＳ８０１に進む。ステップＳ８０１〜Ｓ８０９の処理は第１の実施形態と同様であり、ここではその説明を省略する。
一方、フォーカスアシスト機能がＯＦＦであれば、拡大率によらず第２のフレームメモリ１０５から現像データを所望の範囲読み出し（ステップＳ１１０２）、ステップＳ８０８に進む。
【００３０】
以下では、ＲＡＷデータから高周波成分を検出してピーキング信号を生成する方式の例を説明する。
図１２を参照して、ピーキング信号を生成する方式の一例を説明する。図１２（ａ）に示すように、撮像素子は、Ｒ、Ｇｒ、Ｇｂ、Ｂがセンサ上に田の字に４画素の繰り返しで並んでいるＢａｙｅｒ配列のＣＭＯＳセンサであり、画素数が３８４０×２１６０であるものとする。図１２（ｂ）に示すように、Ｂａｙｅｒ配列の各色画素データを振り分ける。そして、図１２（ｃ）に示すように、各色画素にフィルタ処理した高周波成分の大小をＢａｙｅｒ単位で比較して、最も大きいものを選択してピーキング情報として出力する。図１２（ｃ）の例では、Ｒ１１'、Ｇｒ１１'、Ｇｂ１１'、Ｂ１１'の高周波成分のうち、Ｇｂ１１'が最も大きかった例である。比較の結果として、Ｂａｙｅｒ４画素の高周波成分から１つのピーキング情報を選出することになるので、エッジ情報の解像度は縦横それぞれ半分の１９２０×１０８０となる。
なお、Ｂａｙｅｒ４画素の高周波成分の大小を比較するようにしたが、Ｂｙａｅｒ４画素のうちＧｒとＧｂの２画素の高周波成分の大小を比較するようにしてもよい。
【００３１】
図１３を参照して、ピーキング信号を生成する方式の一例を説明する。図１３は、図１２に対応する内容となっている。
図１３（ｃ）に示すように、各色画素にフィルタ処理した高周波成分をＢａｙｅｒ単位で演算する。
輝度方程式Ｙ＝ｅＧ＋ｆＢ＋ｇＲ（ｅ，ｆ，ｇは係数）とした場合、例えば、ここでは、ＮＴＳＣ輝度方程式Ｙ＝０．５８７Ｇ＋０．１１４Ｂ＋０．２９９Ｒを例に説明すると、近似式として、Ｒ：Ｇｒ：Ｇｂ：Ｂを３：３：３：１の割合で、
Ｙ１１'＝（３・Ｇｒ１１'＋３・Ｇｂ１１'＋Ｂ１１'＋３・Ｒ１１'）・α・・・（１）
α：任意の定数
として加算し、その結果をピーキング情報として出力する。演算の結果として、Ｂａｙｅｒ４画素の高周波成分から１つのピーキング情報を選出することになるので、エッジ情報の解像度は縦横それぞれ半分の１９２０×１０８０となる。
なお、Ｂａｙｅｒ４画素の高周波成分を所定の割合で加算するようにしたが、Ｂｙａｅｒ４画素のうちＧｒとＧｂの２画素の高周波成分を加算するようにしてもよい。すなわち、
Ｙ１１'＝（Ｇｒ１１'＋Ｇｂ１１'）・α・・・（２）
α：任意の定数
として加算し、その結果をピーキング情報として出力する。
【００３２】
図１４を参照して、ピーキング信号を生成する方式の一例を説明する。図１４は、図１２に対応する内容となっている。
図１４（ｃ）に示すように、各色画素にフィルタ処理した高周波成分をＢａｙｅｒ単位で演算し、比較して、最も大きいものを選択してピーキング情報として出力する。図１４（ｃ）の例では、演算対象を結んだ方向がお互いに直行する（Ｇｒ１１'＋Ｇｂ１１'）と（Ｒ１１'＋Ｂ１１'）をレベル比較して、大きい方であるＡ１１'を選択している。演算、比較の結果として、Ｂａｙｅｒ４画素の高周波成分から１つのピーキング情報を選出することになるので、エッジ情報の解像度は縦横それぞれ半分の、１９２０×１０８０となる。
【００３３】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３４】
１０１：撮像素子、１０２：Ｄｅｂａｙｅｒ回路、１０３：信号処理回路、１０４：第１のフレームメモリ、１０５：第２のフレームメモリ、１０６：映像信号記録部１、１０７：映像信号記録部２、１１０：表示ブロック、１１１：メモリコントローラ、１１２：簡易Ｄｅｂａｙｅｒ回路、１１３：切り替えスイッチ、１１４：ピーキング信号重畳回路、１１５：スケーリング回路、１１６：モニタ信号処理回路、１１７：表示デバイス、１１８：ピーキング信号生成部
【図１】
2015111775.tif 000003
【図２】
2015111775.tif 000004
【図３】
2015111775.tif 000005
【図４】
2015111775.tif 000006
【図５】
2015111775.tif 000007
【図６】
2015111775.tif 000008
【図７】
2015111775.tif 000009
【図８】
2015111775.tif 000010
【図９】
2015111775.tif 000011
【図１０】
2015111775.tif 000012
【図１１】
2015111775.tif 000013
【図１２】
2015111775.tif 000014
【図１３】
2015111775.tif 000015
【図１４】
2015111775.tif 000016